(57)【要約】      （修正有）【課題】耐水性、耐候性に比較的優れ、また外観上の体裁がよく、破断強度に優れた高強度材仕様の質感を有すると共に、取り扱い性や収納性に比較的優れた被覆ワイヤーを安価に提供する。【解決手段】少なくとも、複数の金属線材を撚り合わせてなる撚り線１と、撚り線１の全周を被覆する光透過性の弾性樹脂材からなる内部被覆層２と、内部被覆層２の全周を被覆する光透過性の弾性樹脂材からなる外部被覆層３とから構成される。内部被覆層２は撚り線１の外形状に沿って隙間なく密着成形され、外部被覆層３は内部被覆層２の外形状に沿って隙間なく密着成形されてなり、内部被覆層２及び外部被覆層３の各レンズ効果によって、撚り線１の外形が外部被覆層３の外面に拡大投影される。【選択図】図１
0003177576.tif 000002
【実用新案登録請求の範囲】
【請求項１】
少なくとも、複数の金属線材を撚り合わせてなる撚り線と、撚り線の全周を被覆する光透過性の弾性樹脂材からなる内部被覆層と、内部被覆層の全周を被覆する光透過性の弾性樹脂材からなる外部被覆層とから構成される被覆ワイヤーであって、前記内部被覆層は撚り線の外形状に沿って隙間なく密着成形され、前記外部被覆層は内部被覆層の外形状に沿って隙間なく密着成形されてなり、内部被覆層及び外部被覆層の各レンズ効果によって、撚り線の外形が外部被覆層の外面に拡大投影されることを特徴とする被覆ワイヤー。
【請求項２】
前記内部被覆層及び外部被覆層が、共に同一の光透過性樹脂を主剤とするものであり、かつ、内部被覆層が、有色の蛍光顔料、蓄光顔料又は光反射材を表面又は内部に含んだ樹脂から構成されることで、内部被覆層が、外部被覆層と異なる光屈折機能を有する請求項１記載の被覆ワイヤー。
【請求項３】
前記内部被覆層の構成樹脂表面の一部又は全面に、文字又は模様を含む印刷層が定着形成され、この印刷層の定着面上に前記外部被覆層が密着成形されてなり、撚り線の外形がこの印刷層の定着面の隙間から又は定着面を透過して外部被覆層の外面に拡大投影される請求項１又は２記載の被覆ワイヤー。
【請求項４】
前記撚り線が、複数の金属線材からなるストランドを複数本撚り合わせて複撚り構成されたものであり、前記内部被覆層が、この複撚り構成された各ストランドの外部露出形状に沿って密着成形される請求項１，２，又は３のいずれか記載の被覆ワイヤー。
【請求項５】
前記内部被覆層が、ワイヤー長方向に沿って所定の第一軸断面形状で押し出し成形されたものであって、この第一軸断面形状は、断面中心側から見て隣接辺同士が谷状に交わる谷状部を複数個有した多角形又は多辺形のいずれかからなり、
前記外部被覆層が、ワイヤー長方向に沿って前記第一多角形断面と異なる所定の第二軸断面形状で押し出し成形されたものであって、この第二軸断面形状は、円形、多角形、又は多辺形のいずれかからなる請求項１，２，３，又は４のいずれか記載の被覆ワイヤー。
【考案の詳細な説明】
【技術分野】
【０００１】
本考案は、金属線材を撚り合わせて被覆した被覆ワイヤーであって、連結ワイヤーやワイヤー錠、あるいは身飾又は飾り用の線材として用いられる被覆ワイヤーに関する。
【背景技術】
【０００２】
ワイヤー錠用のワイヤーなどとして用いられるよう被覆ワイヤーに関し、従来、撚り合わせたワイヤーの外表面を透明な着色樹脂層で被覆して、樹脂層を透かしてワイヤーの地色が見えるようにしたものが開示される（例えば、特許文献１参照）。
また他に、金属線材を撚り合わせて形成したワイヤー主体の外周を適宜な下地材でコーティングし、この下地材の外周に任意の模様を施した模様シートを貼り合わせ、さらに模様シートの外周を透明な樹脂材で被覆して、この樹脂材を透かして上記模様を外から見えるように構成したものが開示される（例えば、特許文献２参照）。
【先行技術文献】
【特許文献】
【０００３】
【特許文献１】特許第２８２９１３８号公報
【特許文献２】特開２００４−２２５１６３号公報
【考案の概要】
【考案が解決しようとする課題】
【０００４】
しかしながら、前者のように撚り合わせたワイヤーの外表面を透明な着色樹脂層で直接被覆したものは、雨水が浸入して錆が発生するなど耐水性あるいは耐候性に欠けるものであった。また後者のように模様シートを張り合わせたものは、中でシートがずれたり、ワイヤーを曲げた状態でシートが皺になったりして、体裁に欠けるものであった。
【０００５】
またこの種の被覆ワイヤーは、内部の金属線材を太く構成することで、破断強度に優れた高強度材仕様の外観となって質感が高まる一方、屈曲時に比較的大きな曲げ応力を要し、ワイヤー重量が大きくなるなど、取り扱い性や収納性に欠けることとなる。また金属線材の撚り線１（ワイヤーロープ）はそれ自体比較的高価であるため、撚り線１を高剛性化するほど費用もかさむこととなる。
【０００６】
そこで本考案は、耐水性、耐候性に比較的優れ、また外観上の体裁がよく、破断強度に優れた高強度材仕様の質感を有すると共に、取り扱い性や収納性に比較的優れた被覆ワイヤーを安価に提供することを課題とする。
【課題を解決するための手段】
【０００７】
上記課題を解決するため、本考案は以下（１）〜（５）の構成を採用している。
（１）本考案の被覆ワイヤーは、少なくとも、複数の金属線材を撚り合わせてなる撚り線１と、撚り線１の全周を被覆する光透過性の弾性樹脂材からなる内部被覆層２と、内部被覆層２の全周を被覆する光透過性の弾性樹脂材からなる外部被覆層３とから構成される被覆ワイヤーであって、
前記内部被覆層２は撚り線１の外形状に沿って隙間なく密着成形され、前記外部被覆層３は内部被覆層２の外形状に沿って隙間なく密着成形されてなり、内部被覆層２及び外部被覆層３の各レンズ効果によって、撚り線１の外形の投影像１Ｉが外部被覆層３の外面に拡大投影されることを特徴とする。
（２）前記被覆ワイヤーにおいて、内部被覆層２及び外部被覆層３が、共に同一の光透過性樹脂を主剤とするものであり、かつ、
内部被覆層２が、有色の蛍光顔料、蓄光顔料又は光反射材２１，２２を樹脂表面又は樹脂内部に含んだ樹脂から構成されることで、内部被覆層２が、外部被覆層３と異なる光屈折機能を有することが好ましい。
（３）前記いずれかの被覆ワイヤーにおいて、内部被覆層２の樹脂表面の一部又は全面に、文字又は模様を含む印刷層４が定着形成され、この印刷層４の定着面上に前記外部被覆層３が密着成形されてなり、撚り線１の外形の投影像１Ｉがこの印刷層４の定着面の隙間から又は定着面を透過して外部被覆層３の外面に拡大投影されることが好ましい。
（４）前記いずれかの被覆ワイヤーにおいて、前記撚り線１が、複数の金属線材からなるストランド１１を複数本撚り合わせて複撚り構成されたものであり、内部被覆層２が、この複撚り構成された各ストランド１１の外部露出形状に沿って密着成形されることが好ましい。
（５）前記いずれかの被覆ワイヤーにおいて、  内部被覆層２が、ワイヤー長方向に沿って所定の第一軸断面形状で押し出し成形されたものであって、前記第一軸断面形状は、断面中心側から見て隣接辺同士が谷状に交わる谷状部を複数個有した多角形又は多辺形からなり、
また外部被覆層３が、ワイヤー長方向に沿って前記第一多角形断面と異なる所定の第二軸断面形状で押し出し成形されたものであって、前記第二軸断面形状は、円形、多角形、又は多辺形からなることが好ましい。
【０００８】
上記構成によれば、比較的細い又は少数の金属線材によって撚り線１を構成することで、屈曲性が大きくなり変形自由度が高まる。また、光透過性の弾性樹脂材からなる被覆層を二重形成することで、被覆ワイヤー全体の柔軟性が増し、屈曲させ又は捻じったときの反力が比較的ソフトなものとなるだけでなく、撚り線１部分への浸水防止性能などの保護性が向上し、耐水性に優れ、これにより撚り線１も錆びにくく耐候性に優れたものとなる。さらに、二層の光透過性樹脂層が二重のレンズ効果を有することで、内部の撚り線１がワイヤー表面に拡大して透過投影され、実際の撚り線１よりも太く高級感のある外観を呈することとなる。このため撚り線１を比較的細いものとして安価に形成しても質感が劣ることがなく、むしろ透過投影された撚り線１と二重のコーティングとによって、質感に優れた外観となる。
【０００９】
また内部被覆層２及び外部被覆層３が同一の光透過性樹脂を主剤とすることで、層間密着性に優れ、繰り返して屈曲変形、ねじり変形させたのちも、ワイヤー外面への光透過率を良好に維持することができる。さらに内部被覆層２が、有色の蛍光顔料、蓄光顔料又は光反射材を樹脂表面又は樹脂内部に含むことで、透過光が内部乱反射または表面屈折し、各層のレンズ効果と相俟って識別性の高い外観を有することとなる。
【００１０】
また内部被覆層２表面に印刷層４が定着形成されることで、内部被覆層２と外部被覆層３との間にシート等を介在させることなく、文字や模様を形成することができる。印刷層４による文字や模様は外部被覆層３によって保護されているため、外部擦触によるカスレが起こりにくく、長期の表示性に優れたものとなる。
【００１１】
また撚り線１が複ストランド１１によって複撚り形成されることで、撚り線１の外形表面積、すなわち内部被覆層２への接触面を比較的大きなものとして確保することができる。これにより内部被覆層２の定着性が向上するとともに、内部被覆層２の径方向の層厚さが変化して、レンズ効果に優れたものとなる。たとえば図１や図６に示すような７本撚りストランド１１の複撚り構成では、軸断面視にて、各ストランド１１接触部分における内部被覆層２の径方向厚さが比較的大きい厚肉部となり、また、各ストランド１１の中央頂部における内部樹脂層の径方向厚さが比較的小さい薄肉部となる。このような、内部被覆層２の径方向の厚さの相違によって、図６に示すようにレンズ効果が増大される。
【００１２】
さらに、内部被覆層２と外部被覆層３とを異なる軸断面形状で構成することで、たとえば図６に示すように、各層の光屈折効果が異なるものとなり、ワイヤー内部構成のレンズ効果が増大される。また内部被覆層２の軸断面が、たとえば図７（ａ）（ｂ）に示すように、断面中心に向かって入り込む谷辺部を有した断面形状とすることで、軸断面視にて内部被覆層２の径方向厚さが比較的大きい厚肉部と、径方向厚さが比較的小さい薄肉部とを交互に形成することができる。このような、内部被覆層２の径方向の厚さの相違によって、図６に示すようにレンズ効果が増大される。各層の定着性が良好となるとともに、谷辺の面内投影像が屈折表示されることとなり、投影像にゆがみを発生させることができる。
【考案の効果】
【００１３】
本考案は上記手段を講じており、少なくとも２重の弾性樹脂製被覆層を施すことによって金属製の撚り線が錆びにくく、したがって耐水性、耐候性に比較的優れたものとなる。また外観上の体裁がよく、破断強度に優れた高強度材仕様の質感を有すると共に、弾性樹脂のコーティングによってワイヤーの柔軟性が向上し、取り扱い性や収納性に比較的優れた被覆ワイヤーを安価に提供することとなった。
【図面の簡単な説明】
【００１４】
【図１】実施例１の被覆ワイヤーの内部構成を示す一部分解斜視図。
【図２】実施例１（ａ）、実施例２（ｂ）、実施例３（ｃ）の各被覆ワイヤーの内部構成を示す一部側断面図。
【図３】ワイヤー錠からなる実施例１の被覆ワイヤーの外観を示す上方斜視図。
【図４】連結ワイヤーロープからなる実施例２の被覆ワイヤーの外観を示す上方斜視図。
【図５】ワイヤーストラップからなる実施例３の被覆ワイヤーの外観を示す上方斜視図。
【図６】実施例１の被覆ワイヤーの軸断面図。
【図７】実施例４（ａ），実施例５（ｂ），実施例６（ｃ）の各被覆ワイヤーの軸断面図。
【図８】ワイヤー錠からなる実施例７の被覆ワイヤーの外観を示す上方斜視写真。
【図９】ワイヤー錠からなる実施例７の被覆ワイヤーの外観を示す下方斜視写真。
【図１０】ワイヤー錠からなる実施例７の被覆ワイヤーの投影像を示す拡大写真。
【考案を実施するための形態】
【００１５】
本考案を実施するための最良の形態として、実施例１（図１〜図３及び図６）、実施例２（図２、図４）、実施例３（図２、図５）、実施例４〜６（図７（ａ）〜（ｃ））、及び実施例７（図８〜図１０）として示す図と共に説明する。いずれの実施例でも本考案の袋体は、本考案の被覆ワイヤーは、少なくとも、複数の金属線材を撚り合わせてなる撚り線１と、撚り線１の全周を被覆する光透過性の弾性樹脂材からなる内部被覆層２と、内部被覆層２の全周を被覆する光透過性の弾性樹脂材からなる外部被覆層３とから構成される被覆ワイヤーであって、
前記内部被覆層２は撚り線１の外形状に沿って隙間なく密着成形され、前記外部被覆層３は内部被覆層２の外形状に沿って隙間なく密着成形されてなり、内部被覆層２及び外部被覆層３の各レンズ効果によって、撚り線１の外形を含む被覆ワイヤーの内部構造が、投影像１Ｉ，２Ｉとして外部被覆層３の外面に拡大投影される。
【００１６】
ここで本発明における「内部被覆層２」は撚り線１に接するワイヤー内部の層のことを、「外部被覆層３」は最終的にレンズ投影されるワイヤー外層のことを、それぞれ意味する。内部層２と外部層３の間に（たとえば後述する印刷層４など）何層が介在しようが、少なくとも内部層２と外部層３とでレンズ効果が発揮されるものであればよい。以下、各実施例の構成につき詳述する。
【実施例１】
【００１７】
図１〜図３及び図６に示す実施例１の被覆ワイヤーは、７本撚りの複撚りからなる撚り線１と、撚り線１の複撚りの外形状に沿って隙間なく密着成形された、軸断面形状（第一軸断面形状）を真円形とする内部被覆層２と、内部被覆層２の円形の外形状に沿って隙間なく密着成形された、軸断面形状（第二軸断面形状）を真円形とする外部被覆層３と、から構成される。各層内には光が透過して、撚り線１の外形を含むワイヤーの内部構成が外方から視認可能であり、また内部被覆層２及び外部被覆層３の各レンズ効果によって、外部被覆層３の外面には、実径よりも拡大された撚り線１の投影像１Ｉと、実径よりも拡大された内部被覆層２の投影像２Ｉとが透過して投影される（図１ないし図６）。
【００１８】
（撚り線１）
実施例１の撚り線１は、７本のストランド１１がフィーラー型に並行撚りされ、各ストランド１１を構成する金属線材の素線もそれぞれフィーラー型に並行撚りされた、複層の複撚り構造からなる。本考案においては撚り方式を問うものではなく、交差より、あるいはウォリントン型、シール型、これらの組み合わせ型でもよい。また各ストランド１１の構成線は、少なくとも一部に金属線材を含むものであればよく、たとえばポリプロピレン等の合成樹脂線材を混合させた混合撚りでもよい。被覆ワイヤーにおいて撚り線１は二重に被覆されるため、金属線材はメッキ等の外飾処理が施されてない裸ロープを使用しているが、これに限定する趣旨ではない。
【００１９】
（内部被覆層２）
実施例１の内部被覆層２は、蛍光着色顔料を含む光透過性の単一樹脂で構成され、撚り線１の代表径の２倍以上の径を有する円形の第一軸断面形状で押し出し成形される。内部被覆層２は、光透過性の弾性樹脂材を主剤とし、複撚り構成された各ストランド１１の外部露出形状に沿って密着成形される。これにより、内部被覆層２の周方向に沿って、径方向厚さの比較的大きい厚肉部２０Ｒ１と、径方向に沿って比較的薄い薄肉部２０Ｒ２とが交互に形成される。内部被覆層２はそれ自体の円形の外形によるレンズ効果と共に、前記径方向層厚さの変化によるレンズ効果を有する。その結果、内部被覆層２の外面に投影される撚り線１の投影像も、実際の撚り線１の外形に対して歪み投影された拡大表示像となる（図１）。具体的には図６に示すように、撚り線１の外形に沿う第一透過光ｌ１は、内部被覆層２のレンズ効果によって外方に大きく屈折する。
【００２０】
実施例１の内部被覆層２を構成する樹脂材は、蛍光着色顔料を含むが、代わりに又は共に蓄光顔料を含むものとしてもよく、また非蛍光の顔料によって透明着色形成されたものでもよい。構成樹脂の主剤としては例えば、ポリプロピレン、ポリエチレン，ポリエチレンテレフタレート（ＰＥＴ）、ポリブチレンテレフタレート（ＰＢＴ）等が挙げられる。
【００２１】
（外部被覆層３）
実施例１の外部被覆層３は、着色顔料を含まない光透過性の単一樹脂で構成され、内部被覆層２の径の２倍以上の径を有する円形の第二軸断面形状で押し出し成形される。内部被覆層２と同一の光透過性樹脂を主剤として８０％固化体積以上含み、また、内部被覆層２の押し出し成型後の半固化状態で押し出し成形されることで、内部被覆層２との定着性が良好なものとなっている。外部被覆層３はそれ自体の円形の外形を有するとともに、ワイヤー屈曲時の弾性変形によって断面形状が歪むことでも実際の撚り線１或いは内部被覆層２の外形に対して歪み投影された拡大表示像が外形表示される（図１）。具体的には図６に示すように、撚り線１の外形に沿う第一透過光Ｌ１は、内部被覆層２のレンズ効果によって外方に一次屈折したのち、内部被覆層２のレンズ効果によってさらに異なる方向へ二次屈折する。また図６に示すように、内部被覆層２の外形に沿う第二透過光Ｌ２は、外部被覆層３のレンズ効果によって外方に一次屈折するが、この屈折率は第一透過光Ｌ１の二次屈折後の屈折率よりも小さく、撚り線１と内部被覆層２の外径比率は実際とは異なるものとして外部被覆層３の外面に投影される。
【００２２】
（レンズ効果及び押し出し成形効果）
実施例１の内部被覆層２は、有色の蛍光顔料、蓄光顔料又は光反射材を樹脂表面又は樹脂内部に含んだ樹脂から構成されることで、内部被覆層２と外部被覆層３とが、それぞれ異なる光屈折機能を有する。また各樹脂を押し出し成形にすることで、被覆ワイヤーの連続成形が可能となり、生産性が向上して比較的安価に提供できるものとなる。
【００２３】
（ワイヤー錠としての構成）
実施例１の被覆ワイヤーは、一端に筒状の受け錠Ｋ１が覆設連結され、他端に前記受け錠に対する差し込み錠Ｋ２が覆設連結されて、全体として、図３に示すような二輪車等のワイヤー錠として構成される。筒状の受け錠Ｋ１のさらに先端には、ロック用のキーＫ３が抜き差し可能となっている。このようなワイヤー錠は防犯性及び操作時・収容時の取り扱い性を求められるところ、本考案の被覆ワイヤーは撚り線１が外面に拡大投影されるため、外観上、比較的撚り線１を使用しているように映り、また二重のコーティングが外観に映るため、高切断強度の外様となり防犯性の高いものとなっている。また実際には投影像よりも細い撚り線１が弾性樹脂材でコーティングされているため、屈曲性が高いものとなっている。たとえばワイヤー形状を大きく変形させてロックしたり、巻き数を増やしてコンパクトに収容したりすることも可能である。
【実施例２】
【００２４】
図２（ｂ）、図４に示す実施例２の被覆ワイヤーは、７本撚りの複撚りからなる撚り線１と、撚り線１の複撚りの外形状に沿って隙間なく密着成形された、軸断面形状（第一軸断面形状）を真円形とする内部被覆層２と、内部被覆層２の円形の外面に沿って隙間なく定着成形された印刷層４と、印刷層４の形成された内部被覆層２の円形の外形状に沿って隙間なく密着成形された、軸断面形状（第二軸断面形状）を真円形とする外部被覆層３と、から構成される。各層内には光が透過して、撚り線１の外形を含むワイヤーの内部構成が外方から視認可能であり、また内部被覆層２及び外部被覆層３の各レンズ効果によって、外部被覆層３の外面には、実径よりも拡大された撚り線１の投影像１Ｉと、実径よりも拡大された内部被覆層２の投影像２Ｉとが透過して投影される。
【００２５】
（内部被覆層２）
実施例２の内部被覆層２は、実施例１と比較して有色の顔料を含んでおらず、代わりにチップ状の光反射材２１を樹脂内部に含んだ反射材含有樹脂から構成される。これにより、内部被覆層２の内部で光の乱反射が生じ、外部被覆層３と異なる美観を呈することとなる。
【００２６】
（印刷層４）
また実施例２では、内部被覆層２の樹脂表面の全体にわたって、着色模様からなる印刷層４が部分的に定着形成される（図２、図４）。この印刷層４の定着面上に前記外部被覆層３が密着成形されてなり、撚り線１の外形がこの印刷層４の定着面の隙間から又は定着面を透過して外部被覆層３の外面に拡大投影される。印刷層４の定着形成は、レーザープリント、転写プリントなどによって行われる。内部被覆層２表面に印刷層４が定着形成されることで、文字や模様を安定的に、かつ、外部被覆層３による拡大投影効果を有して外観表示することができる。印刷層４による文字や模様は外部被覆層３によって保護されているため、外部擦触によるカスレが起こりにくく、長期の表示性に優れたものとなる。
【００２７】
（ワイヤーロープとしての構成）
実施例２の被覆ワイヤーは、一対の筒状の留め具５によって両端をそれぞれループ状に留め固定することで、全体として、図４に示すような両端に連結ループ６を有する棒状のワイヤーロープとして構成される。内部被覆層２には、両端付近の留め具５の間のワイヤー長部分にのみ、複数の星形からなる連続模様の印刷層４を形成している。この印刷層４の投影像４Ｉは外観にて拡大表示され、かつ内部被覆層２の樹脂内に分散された反射材２１の反射効果によって、光反射状態で浮き上がったように投影される。反射材を使用しているため、夜間の安全ロープとしても使用可能である。また印刷層４の模様は転写印刷によって定着形成されるため、装飾シートのようにズレたり皺になったりすることなく、表示効果を長期間保つことができる。また実施例２と同様の構成の被覆ワイヤーを、身飾用のアクセサリーのロープとして使用することもできる。印刷層４を反射材或いは蛍光顔料の樹脂含有と組み合わせて使用することで、印刷層４が立体的に浮かび上がり、装飾材として美観に優れたものとなる。
【実施例３】
【００２８】
図２（ｃ）、図５に示す実施例３の被覆ワイヤーは、実施例１と同様、７本撚りの複撚りからなる撚り線１と、撚り線１の複撚りの外形状に沿って隙間なく密着成形された、軸断面形状（第一軸断面形状）を真円形とする内部被覆層２と、内部被覆層２の円形の外形状に沿って隙間なく密着成形された、軸断面形状（第二軸断面形状）を真円形とする外部被覆層３と、から構成される。ただし実施例３では内部被覆層２の構成樹脂材として、球状の光反射材２１であるビーズ２２を含有したビーズ含有樹脂を用いている。また実施例３の内部被覆層２及び外部被覆層３は、互いに異なる着色顔料をそれぞれ含み、構成主剤を同一とする光透過性の単一樹脂で構成される。
【００２９】
（ワイヤーストラップとしての構成）
実施例３の被覆ワイヤーは、両端を筒状の留め具５によってループ状に留め固定し、さらにこのうち他端のループ部６に開閉蓋付きの吊り下げホルダー７を挿通することで、全体として、図５に示すようなコイル状のワイヤーストラップとして構成される。内部被覆層２と外部被覆層３とで多色構成するため、内部被覆層２の樹脂内に分散されたビーズ２２の反射効果が色を変えて立体的に投影され、装飾材として美観に優れたものとなる。
【００３０】
〔実施例４〜６〕
図７（ａ）（ｂ）（ｃ）に軸断面図のみを示す実施例４〜６の被覆ワイヤーは、内部被覆層２が、ワイヤー長方向に沿って所定の第一軸断面形状で押し出し成形され、外部被覆層３が、ワイヤー長方向に沿って前記第一多角形断面と異なる所定の第二軸断面形状で押し出し成形されてなり、これにより、内部被覆層２と外部被覆層３とを異なる軸断面形状で構成している。このうち特に図７（ａ）（ｂ）に示すものは、内部被覆層２の第一軸断面形状が、断面中心側から見て隣接辺同士が谷状に交わる谷状部を複数個有した多角形（それぞれ溝付き円形（ａ）、及び星形（ｂ））であり、外部被覆層３の第二軸断面形状が円形からなる。
【００３１】
また図７（ａ）（ｂ）に示すように、断面中心に向かって入り込む谷辺部を有した断面形状とすることで、軸断面視にて内部被覆層２の径方向厚さが比較的大きい厚肉部と、径方向厚さが比較的小さい薄肉部とを交互に形成することができる。このような、内部被覆層２の径方向の厚さの相違によって、図６に示すようにレンズ効果が増大される。各層の定着性が良好となるとともに、谷辺の面内投影像が屈折表示されることとなり、投影像にゆがみを発生させることができる。
【００３２】
さらに図７（ｂ）（ｃ）に示すように、多角形断面として成形した内部被覆層２の平面状の側面ごとに平面の印刷層４を施すことで、光屈折効果によって印刷層４の文字あるいは模様が浮き上がった状態で投影される。
【００３３】
〔実施例７〕
図８〜図１０に、ワイヤー錠からなる実施例７の被覆ワイヤーの試作写真を示す。実施例７の構成は実施例１と同様であり、内部被覆層２の構成樹脂自体を、オレンジ色の蛍光顔料を含むものとし、外部被覆層３の構成樹脂を無色透明なものとしている。被覆ワイヤーは柔軟性に優れているため、図８，９に示すように二重巻きにして施錠することも可能である。また図１０に示すように、内部の撚り線１の投影像１Ｉ及び内部被覆層２の投影像２Ｉが、被覆ワイヤー表面すなわち外部被覆層３の表面に透過し、透明蛍光色として浮かび上がっている。これら投影像１Ｉ、２Ｉは実際の内部構造（撚り線１及び内部被覆層２）の太さよりも太いものとなっている。
【００３４】
その他、本考案は上述した実施例に限定されることなく、本考案の趣旨を逸脱しない範囲で適宜、要素の抽出、各層の形状の組み合わせの変更、省略、各構成樹脂材の組み合わせの変更や一部構成の省略或いは連続数の変更が可能である。
【符号の説明】
【００３５】
１  撚り線
１１  ストランド
１Ｉ，２Ｉ  投影像
２  内部被覆層
２１  光反射材
２２  ビーズ
２Ｄ  谷状部
３  外部被覆層
４  印刷層
５  留め具
【図１】
0003177576.tif 000003
【図２】
0003177576.tif 000004
【図３】
0003177576.tif 000005
【図４】
0003177576.tif 000006
【図５】
0003177576.tif 000007
【図６】
0003177576.tif 000008
【図７】
0003177576.tif 000009
【図８】
0003177576.tif 000010
【図９】
0003177576.tif 000011
【図１０】
0003177576.tif 000012